(57)【特許請求の範囲】
【請求項１】
印字対象の用紙が巻かれたロール紙を保持する用紙保持部に、ロール紙を両側端から挟む一対の押え部を備えるプリンタであって、
各前記押え部に設けられ、ロール紙の側端部に対面する側に突出する第１位置と突出しない第２位置とに変位可能であって、前記第１位置においてロール紙の巻き中心の筒状部分に入り込んでロール紙を保持し、前記第１位置においてロール紙の側端部に対面する面の裏側に、前記第２位置においてロール紙の側端部に対面する面を有する保持部と、
ロール紙の側端部に平行に設けた回転軸回りに回転自在に前記保持部を支持し、当該回転に伴って前記保持部を前記第１位置と前記第２位置との両位置間で移動させる支持構造と、
を備えるプリンタ。
【請求項２】
印字対象の用紙が巻かれたロール紙を保持する用紙保持部に、ロール紙を両側端から挟む一対の押え部を備えるプリンタであって、
各前記押え部に設けられ、前記押え部が有する孔に対しロール紙の幅方向に沿って出入りすることでロール紙の側端部に対面する側に突出する第１位置と突出しない第２位置とに変位可能であって、前記第１位置においてロール紙の巻き中心の筒状部分に入り込んでロール紙を保持する保持部と、
前記孔の内周に設けられた雌ねじと前記保持部の外周に設けられて前記雌ねじに噛み合う雄ねじとにより、ロール紙の幅方向に沿った回転軸回りに回転自在に前記保持部を支持し、当該回転に伴って前記保持部を前記第１位置と前記第２位置との両位置間で移動させる支持構造と、
を備えるプリンタ。
【請求項３】
前記押え部は、前記保持部の外周形状に対応した貫通孔を有し、
前記支持構造は、軸方向が前記保持部の中心部を通り前記保持部の外周面における対向する一対の位置から突出する回転軸と、前記押え部に設けられ前記回転軸を回転自在に支持する軸支持部と、を備える
請求項１に記載のプリンタ。
【請求項４】
前記保持部の外周面から外側へ前記回転軸の軸方向と直交する方向に沿って伸びるように突出したタブと、
前記押え部の前記貫通孔の縁部に設けられ、前記保持部が前記第１位置にあるときに前記タブが収まる窪みと、
前記窪み内に設けられ、前記保持部が前記第１位置にあるときに前記タブの位置を定めるタブ把持部と、
をさらに備える
請求項３に記載のプリンタ。
【請求項５】
前記タブ把持部は、前記タブを、当該タブの突出方向に直交する両方向から抱えるように把持する一対の爪部材を備える
請求項４に記載のプリンタ。
【発明の詳細な説明】
【技術分野】
【０００１】
本発明の実施形態は、プリンタに関する。
【背景技術】
【０００２】
従来、ラベルやレシートを発行するプリンタが用いられている。このプリンタの用紙保持部は、ラベルロールやレシートロールを回転自在に保持する。
【０００３】
ラベルロールは、帯状の台紙にラベルが貼付されたものや、台紙なしの帯状のラベルが巻かれたものであって、使用時には巻きの中心部が保持されている必要がある。このため、用紙保持部は、ラベルロールの内周に入り込む一対の凸部や軸などを有している。
【０００４】
一方、レシートロールは、内径がラベルロールと異なり（概して小さい）、また多様であり、さらに、補充頻度が高い。このため、用紙保持部は、レシートロールの内周に入って保持するのではなく、いわゆる投げ込み式で保持するものが多い。
【０００５】
仮に、ラベルロールの巻き中心を保持する凸部を備えた用紙保持部にレシートロールを投げ込み式で保持させるとする。この場合、ロール径が大きいうちは、凸部の頂部にてロールの側端が押えられる。しかしながら、ロール径が小さくなると、凸部の下にロールが入り込み、両側端が押えられなくなる。よってこのような運用では、レシートロールが用紙保持部内で暴れるおそれがある。
【０００６】
上述のように、ラベルロールの保持用に凸部などを備えた用紙保持部をそのままレシートロールの保持に用いては、不都合がある。
【発明の概要】
【発明が解決しようとする課題】
【０００７】
本発明が解決しようとする課題は、ラベルロールおよびレシートロールのいずれも使用可能なプリンタを提供することである。
【課題を解決するための手段】
【０００８】
実施形態のプリンタは、印字対象の用紙が巻かれたロール紙を保持する用紙保持部に、ロール紙を両側端から挟む一対の押え部を備えるプリンタであって、各前記押え部に設けられ、ロール紙の側端部に対面する側に突出する第１位置と突出しない第２位置とに変位可能であって、前記第１位置においてロール紙の巻き中心の筒状部分に入り込んでロール紙を保持し、前記第１位置においてロール紙の側端部に対面する面の裏側に、前記第２位置においてロール紙の側端部に対面する面を有する保持部と、ロール紙の側端部に平行に設けた回転軸回りに回転自在に前記保持部を支持し、当該回転に伴って前記保持部を前記第１位置と前記第２位置との両位置間で移動させる支持構造と、を備える。
【図面の簡単な説明】
【０００９】
【図１】図１は、第１実施形態に係るプリンタの外観を示す斜視図である。
【図２】図２は、プリンタの上部ケースを開放した状態を示す斜視図である。
【図３】図３は、用紙収納部の斜視図であって、ロール紙としてラベルロールを用いる場合に適する状態を示す図である。
【図４】図４は、用紙収納部の斜視図であって、ロール紙としてレシートロールを用いる場合に適する状態を示す図である。
【図５】図５は、図４の状態の用紙収納部を外側から見た斜視図である。
【図６】図６は、第１位置にある保持部および押え部を示す断面図である。
【図７】図７は、第２位置にある保持部および押え部を示す断面図である。
【図８】図８は、回り止め部の外観を示すとともにタブがタブ把持部に把持された状態を示す斜視図である。
【図９】図９は、回り止め部の構造を説明するとともにタブがタブ把持部に把持された状態を示す断面図である。
【図１０】図１０は、回り止め部の構造を説明するとともにタブがタブ把持部に把持される直前の状態を示す斜視図である。
【図１１】図１１は、回り止め部の構造を説明するとともにタブがタブ把持部に把持される直前の状態を示す断面図である。
【図１２】図１２は、第２実施形態における押え部、保持部および支持構造の縦断面であって、（ａ）は保持部が第１位置にある状態を示し、（ｂ）は保持部が第２位置にある状態を示す図である。
【図１３】図１３は、第３実施形態における押え部および保持部の図であって、（ａ）は保持部が第１位置にある状態を示す縦断面図であり、（ｂ）は（ａ）の状態の斜視図であり、（ｃ）は保持部が第２位置にある状態を示す縦断面図である。
【図１４】図１４は、第４実施形態における押え部および保持部の縦断面図であって、（ａ）は保持部が第１位置にある状態を示し、（ｂ）は保持部が第２位置にある状態を示す図である。
【発明を実施するための形態】
【００１０】
（第１実施形態）
第１実施形態について図面を用いて説明する。図１は、第１実施形態に係るプリンタ１の外観を示す斜視図である。プリンタ１は、プリンタ本体２、下部ケース３、上部ケース４、および前部カバー５を備えている。
【００１１】
図２は、プリンタ１の上部ケース４を開放した状態を示す斜視図である。プリンタ１は、さらに、用紙収納部６を備えている。下部ケース３、上部ケース４、および前部カバー５は、プリンタ本体２および用紙収納部６を覆う。
【００１２】
用紙収納部６は、用紙保持部の一例であり、帯状の用紙がロール状に巻かれたロール紙Ｘを、収納し保持する上面開口の容器である。ロール紙Ｘとしては、例えば、レシートロールやラベルロールがある。レシート用紙は、レシートになる帯状の用紙が巻かれたものである。ラベルロールは、帯状の台紙にラベルが貼付された台紙付きラベル（ラベル用紙）が巻かれたものである。
【００１３】
下部ケース３は、上面と前面が開放されている直方体状のケースであり、上面は上部ケース４により、前面は前部カバー５により、閉じられる。また、下部ケース３には、内部のプリンタ本体２と外部機器との接続に使われる接続端子（不図示）や、プリンタ本体２に電源を供給する電源端子（不図示）等が設けられる。
【００１４】
上部ケース４は、背面側の辺を、下部ケース３に回動自在に取り付けられていて、回動に伴って、下部ケース３の上面の開口を開閉する。また、上部ケース４は、上面にタッチパネルディスプレイ４１を備える。タッチパネルディスプレイ４１は、各種操作の入力を受けるとともに、各種情報を表示する。
【００１５】
前部カバー５の上端部と、上部ケース４の前端下部との間には、用紙を排出する排紙口５０が設けられている。
【００１６】
前部カバー５は、排紙ガイド５３および台紙排出口５４を備えている。排紙ガイド５３は、排出される用紙を案内する。台紙排出口５４は、用紙が台紙付きラベルで且つ剥離発行の場合に、ラベルが剥離された後の台紙を排出する。また、前部カバー５は、プリンタ本体２の前面を開閉可能に覆っている。
【００１７】
プリンタ本体２は、サーマルヘッド２２およびプラテンローラ２３を備える。サーマルヘッド２２は、上部ケース４の内側面に固定されていて、上部ケース４が下部ケース３の上面の開口を閉じた状態で、プラテンローラ２３に密着する。
【００１８】
サーマルヘッド２２は複数個が並列して設けられた発熱体を備え、発熱体の熱により、プラテンローラ２３との間に挟んだ用紙に印字する。
【００１９】
プラテンローラ２３は、ステッピングモータ（不図示）の駆動力が伝達されることにより回転して、サーマルヘッド２２との間に挟んだ用紙を搬送する。
【００２０】
図３〜図５は、用紙収納部６の斜視図である。用紙収納部６は、一対の押え部６１、一対の保持部６２、コロ６３、およびラックアンドピニオン６４を備えている。図３は、ロール紙Ｘとしてラベルロールを用いる場合に適する状態を示し、図４は、ロール紙Ｘとしてレシートロールを用いる場合に適する状態を示す。図５は、図４の状態の用紙収納部６を外側から見た図である。
【００２１】
押え部６１は、用紙収納部６の側壁を構成する部材である。一対の押え部６１は、ラックアンドピニオン６４によって、互いに近接離反する方向に移動可能である。ラックアンドピニオン６４は、互いに平行で歯面を向い合せた一対のラックギヤ６４１と、これらのラックギヤ６４１に噛み合うピニオンギヤ６４２とで構成される。一対の押え部６１は、ロール紙Ｘを両側端から挟むことにより、ロール紙Ｘが幅方向に移動しないよう押える。押え部６１により、ロール紙Ｘは幅方向中央を基準に位置合わせされる。
【００２２】
保持部６２は、各押え部６１に設けられ、ロール紙Ｘの側端部に対面する側（即ち用紙収納部６内）に突出する第１位置と、突出しない第２位置とに変位可能である。図３に示す保持部６２は第１位置にあり、ロール紙Ｘとしてラベルロールを用いる場合に適する状態である。図４および図５に示す保持部６２は第２位置にあり、ロール紙Ｘとしてレシートロールを用いる場合に適する状態である。
【００２３】
図６は、第１位置にある保持部６２および押え部６１を示す断面図であり、図７は、第２位置にある保持部６２および押え部６１を示す断面図である。いずれの図も、向かって右側が、用紙収納部６の内側、すなわちロール紙Ｘの側端部に対面する側である。保持部６２は、約１８０°回転することによって、第１位置から第２位置へと移動する。保持部６２は、第１位置にあるとき、ロール紙Ｘの巻き中心の筒状部分に入り込むことによって、ロール紙Ｘを保持する。
【００２４】
用紙収納部６へのロール紙Ｘのセット方式は、巻き中心を回転自在に保持する軸保持式と、保持しないいわゆる投げ込み（ドロップイン）式とがある。
【００２５】
ラベルロールは、巻き中心を横にして放置すると変形しやすので、投げ込み式で用いると変形して引き出せない状態や引き出しにくい状態になることがある。このため、ラベルロールは、軸保持式で用いられる。
【００２６】
レシートロールは、ラベルロールに比べて、密に巻いてあるので、巻き中心を横にして置いても変形しづらい。また、レシートロールは、補充頻度が高い。これらの理由から、レシートロールは、投げ込み式でも用いられる。
【００２７】
投げ込み式でロール紙Ｘを用いる場合に、コロ６３は、用紙収納部６の内側面からロール紙Ｘの外周を離間させ、ロール紙Ｘの回転に伴って回転する。つまり、コロ６３は、ロール紙Ｘの外周面と用紙収納部６の内側面との間の摩擦を防ぎ、ロール紙Ｘが回転しやすくする。
【００２８】
ロール紙Ｘは、投げ込み式で用いられた場合、用紙の消費に伴って径が小さくなってくると、用紙が引き出される際に用紙収納部６の底から持ちあがることがある。このため、投げ込み式の場合に、保持部６２が第１位置にあると、保持部６２にロール紙Ｘが引っかかるおそれがある。そこで、本実施形態のプリンタ１は、投げ込み式の場合には保持部６２を第２位置に位置させるよう定めている。
【００２９】
また、従来、プリンタにおいて、各種ニーズに応えるために様々な構造が提案されているが、当該構造に取り外し可能な部品が用いられている場合がある。この場合、取り外して保管した部品を紛失して、機能を用いることができなくなる不都合が起こり得る。この不都合を排除するため、本実施形態のプリンタ１は、保持部６２を用紙収納部６から取り外さずに移動させることによって保持部６２を変位させる構成とされている。つまり、プリンタ１は、保持部６２の紛失が起こり得ない構成とされている。
【００３０】
保持部６２は、凸部６２１を有している。凸部６２１は、ロール紙Ｘの巻き中心の筒状部分に入り込む部分である。凸部６２１は円形であって、円筒状の部材であるラベルロールの紙管（芯）に嵌まる大きさである。保持部６２が第１位置にあるとき、凸部６２１は、ロール紙Ｘから荷重を受ける。
【００３１】
保持部６２は、第１位置においてロール紙Ｘの側端部に対面する面の裏側に、第２位置においてロール紙Ｘの側端部に対面する面を有する。つまり、凸部６２１の裏側の面６２ａは、第２位置に保持部６２があるときにロール紙Ｘの側端部に対面する。
【００３２】
保持部６２は、また、凸部６２１の周囲に、フランジ６２２を有している。フランジ６２２の高さは、押え部６１から僅かに突出する程度である。フランジ６２２は、ラベルロールの紙管の端面に接して紙管を押える。つまり、フランジ６２２は、押え部６１とラベルロールの端面との間に僅かな隙間をつくり、押え部６１とラベルロールの端面とが密着しないようにしている。つまり、フランジ６２２は、ラベルロールが回転しやすい状態を作っている。
【００３３】
押え部６１は、孔６１１を有する。孔６１１は貫通孔であって、保持部６２の外周形状に略一致する形状をなしている。押え部６１の厚さは、保持部６２の土台部分である基部６２３の厚さよりも厚い。つまり、孔６１１は基部６２３を収納する。
【００３４】
ここで、保持部６２の面６２ａは、保持部６２が第２位置にあるときに、ロール紙Ｘの端面に対面する側の面である。該面６２ａは、押え部６１のロール紙Ｘの端面に対面する側の面６１ａの同一平面上に位置するか、または面６１ａよりも孔６１１の奥側に引っ込んでいる。後者の構成である場合、孔６１１の縁（面６１ａとの境）は、ロール紙Ｘが引っかからないよう、面取りされている。
【００３５】
基部６２３は、図３や図４に示すように、凸部６２１の背面側が中空であって、補強リブが立てられている。
【００３６】
プリンタ１は、保持部６２と押え部６１との間に、支持構造６５を備えている。支持構造６５は、保持部６２を、第１位置と第２位置との両位置間で移動可能に、支持する。
【００３７】
支持構造６５は、基部６２３に設けられた回転軸６５１と、押え部６１に設けられた軸支持部６５２とを備えている。支持構造６５は、保持部６２を、回転軸６５１回りに回転自在に支持し、当該回転に伴って、保持部６２を、第１位置と第２位置との間で移動させる。当該移動に際し、保持部６２を押え部６１から取り外す必要はない。
【００３８】
回転軸６５１は、保持部６２の略中心を通る。よって、保持部６２は、第１位置と第２位置との間での移動に際し、押え部６１に対して、約１８０°回転される。また、回転軸６５１は、ロール紙Ｘの側端部に平行に設けられている。よって、保持部６２は、第１位置と第２位置との間での移動により、裏返し且つ上下逆にされる。
【００３９】
回転軸６５１は、両端に、基部６２３の外縁から突出した一対の突出部６５１ａ，６５１ｂを有している。軸支持部６５２は、各突出部６５１ａ，６５１ｂを、回転自在に支持する。軸支持部６５２に支持された回転軸６５１は、ロール紙Ｘの投げ込み方向に対して、概ね直交する。本実施形態の回転軸６５１は、プリンタ１が机上等に置かれた状態では、略水平の姿勢を取る。
【００４０】
また、保持部６２と押え部６１との間には、回り止め部６６が設けられている。図８は、回り止め部６６の外観を示す斜視図である。回り止め部６６は、タブ６６１と、押え部６１に設けられたタブ把持部６６２とを備えている。
【００４１】
さらに、図９〜図１１は、回り止め部６６の構造を説明する図である。図９の断面図は、図８同様、タブ６６１がタブ把持部６６２に把持された状態を示す。図１０の斜視図および図１１の断面図は、タブ６６１がタブ把持部６６２に把持される直前の状態を示す。
【００４２】
タブ６６１は、フランジ６２２からさらに外側（放射方向）へ、凸部６２１の中心から回転軸６５１に直交する方向に沿って伸びるように突出した、薄い板状の部分である。本実施形態の回転軸６５１は、プリンタ１が机上等に置かれた状態で略水平である。したがって、第１位置におけるタブ６６１の伸び方向は上向きまたは下向きであるが、図３および図６に示すように下向きの方が、回り止めとしてより効果的である。
【００４３】
タブ把持部６６２は、一対の爪部材６６２ａと、位置決め部材６６２ｂとを備える。一対の爪部材６６２ａは、タブ６６１を、上述の伸び方向に直交する両方向から抱えるように把持する。位置決め部材６６２ｂは、爪部材６６２ａで抱えられたタブ６６１の平面部分が当接する平板状の部材で、タブ６６１の回転軸６５１回りの回転位置を定める。
【００４４】
ここで、回り止め部６６は、保持部６２が第１位置にあるときに、機能する。第１位置は、保持部６２の凸部６２１がロール紙Ｘの巻き中心の筒状部分に入り込むことによってロール紙Ｘを保持する状態である。ロール紙Ｘを保持している保持部６２には、ロール紙Ｘから下向きの荷重が加わる。上記荷重によって保持部６２が意図せず回転することがないように、本実施形態の用紙収納部６の内側に設けられたタブ把持部６６２は、保持部６２の下側に配置されている。
【００４５】
また、押え部６１は、タブ収納部６６３を備えている。タブ収納部６６３は、タブ把持部６６２の孔６１１を挟んで反対側に配置されている。タブ収納部６６３は、保持部６２が第２位置にあるとき、保持部６２の上側にきたタブ６６１を押え部６１の厚み内に収める逃がし溝である。タブ収納部６６３は、保持部６２が第２位置にあるときに不意に回転することを防ぐために、タブ６６１を簡易的に位置決めするクリップ（不図示）を備えている。当該クリップは、タブ把持部６６２と同様の構成であってもよい。
【００４６】
さらに、押え部６１は、タブ把持部６６２の下側に、凹部６６４を備えている。凹部６６４は、タブ把持部６６２に把持されたタブ６６１の下側に爪などを引っかけやすくしてタブ６６１の把持解除を容易にするための空間である。なお、タブ６６１の把持解除は、凸部６２１の上側の端を押すことによって行ってもよい。
【００４７】
このような構成において、ロール紙Ｘとしてラベルロールを用いる場合には、保持部６２を第１位置におく。次に、凸部６２１をラベルロールの紙管に入れ込むとともに、フランジ６２２が紙管の端面に接するように押え部６１を位置決めする。これにより、ラベルロールを引出容易に保持することができる。
【００４８】
また、ロール紙Ｘとしてレシートロールを用いる場合には、保持部６２を第２位置におき、レシートロールを用紙収納部６に入れる。押え部６１は、レシートロールの幅に合わせて位置させる。
【００４９】
このように、第１実施形態によれば、保持部６２を第１位置と第２位置とに変位させることができる。よって、ロール紙Ｘの巻き中心を保持する方式と投げ込み式とのいずれの方式でも印字可能な、ラベル／レシート兼用のプリンタ１を提供することができる。
【００５０】
また、本実施形態によれば、保持部６２を、押え部６１から取り外すことなく第１位置と第２位置との間で連続的に移動させることができる。よって、部品を紛失しにくいプリンタ１とすることができる。
【００５１】
（第２実施形態）
以下、第２実施形態について説明する。本実施形態は、第１実施形態の変形例である。本実施形態の説明にあたっては、第１実施形態と同様の部分についての説明を省略し、第１実施形態と異なる部分について説明する。また、本実施形態において、第１実施形態と同様の部分については同一の符号を用いる。
【００５２】
図１２は、第２実施形態における押え部７１、保持部７２および支持構造７５の縦断面図であって、（ａ）は保持部７２が第１位置にある状態を示し、（ｂ）は保持部７２が第２位置にある状態を示す。本実施形態の支持構造７５は、押え部７１に設けられた雌ねじ７５１と、保持部７２に設けられた雄ねじ７５２とを、備えている。
【００５３】
保持部７２の基部７２３は円形である。押え部７１は、保持部７２が出入りする円形の孔７１１を有している。雌ねじ７５１は、孔７１１の内周に設けられている。雄ねじ７５２は、保持部７２の基部７２３の外周に設けられている。
【００５４】
なお、保持部７２の凸部７２１およびフランジ７２２は、第１実施形態の保持部６２の凸部６２１およびフランジ６２２と同様である。
【００５５】
雌ねじ７５１と雄ねじ７５２とは、噛み合うことにより、押え部７１に対して保持部７２を位置決めし、支持する。また、雌ねじ７５１に雄ねじ７５２が噛み合った状態で、押え部７１に対して保持部７２は回転自在である。当該回転の回転軸は、ロール紙の側端部に直交する。当該回転軸回りの回転に伴って、保持部７２は、押え部７１のロール紙Ｘの端面に対面する側の面７１ａから出入りする方向に、移動可能である。
【００５６】
このように、第２実施形態によれば、保持部７２を、押え部７１に対して回転させることによって、押え部７１から取り外すことなく第１位置と第２位置との間で連続的に移動させることができる。よって、第１実施形態同様の効果を得ることができる。
【００５７】
なお、上記実施形態では特に述べなかったが、保持部７２に、指先を差し入れ可能な穴や摘まみ突起などを設けて、回転させやすい構成としてもよい。
【００５８】
（第３実施形態）
以下、第３実施形態について説明する。本実施形態は、第１実施形態の変形例である。本実施形態の説明にあたっては、第１実施形態と同様の部分についての説明を省略し、第１実施形態と異なる部分について説明する。また、本実施形態において、第１実施形態と同様の部分については同一の符号を用いる。
【００５９】
図１３は、第３実施形態における押え部８１および保持部８２の図である。また、図１３の（ａ）は保持部８２が第１位置にある状態を示す縦断面図であり、（ｂ）は（ａ）の状態の斜視図であり、（ｃ）は保持部８２が第２位置にある状態を示す縦断面図である。
【００６０】
押え部８１は、保持部８２が出入りする円形の孔８１１を有している。また、押え部８１は、孔８１１をロール紙Ｘの側端部に対面する側から見て奥側に、孔８１１よりも内径が小さい送り止め部８１２を有している。
【００６１】
送り止め部８１２は、十分送られた保持部８２を孔８１１の奥側で押える。ここでの「十分」は、保持部８２が、押え部８１のロール紙Ｘの端面に対面する側の面８１ａから突出しない程度である。送り止め部８１２は、保持部８２が孔８１１の奥側から抜け落ちることを防ぐ役割をも果たす。なお、押え部８１に、送り止め部８１２だけでなく、保持部８２が孔８１１の手前から抜け落ちることを防ぐ抜け止め部を設けてもよい。
【００６２】
保持部８２の基部８２３は、孔８１１に対応し、円形である。保持部８２は、凸部８２１表面における中心点を挟む２点に、指先を差し入れ可能な穴８２４を有している。当該孔８２４は、保持部８２を回転させる際の手掛りとするためのものである。
【００６３】
本実施形態における支持構造（不図示）は、保持部８２を、第１位置および第２位置において、移動不可能にロックする。当該ロックは、孔８１１に対する基部８２３の回転（図１３（ｂ）内矢印にて示す）のある角度範囲において行われる。ロック状態において、上記支持構造は、回動軸方向（図１３（ａ）内矢印にて示す）への基部８２３の移動を、不可能にする。また、同支持構造は、上記角度範囲以外において、上記ロックを解除し、上記回動軸方向への基部８２３の移動を、自在にする。
【００６４】
このように、第３実施形態によれば、保持部８２を、孔８１１に対して出入りおよび回転させることによって、押え部８１から取り外すことなく第１位置と第２位置との間で連続的に移動させることができる。よって、第１実施形態同様の効果を得ることができる。
【００６５】
（第４実施形態）
以下、第４実施形態について説明する。本実施形態は、第１実施形態の変形例である。本実施形態の説明にあたっては、第１実施形態と同様の部分についての説明を省略し、第１実施形態と異なる部分について説明する。また、本実施形態において、第１実施形態と同様の部分については同一の符号を用いる。
【００６６】
図１４は、第４実施形態における押え部９１および保持部９２の縦断面図であって、（ａ）は保持部９２が第１位置にある状態を示し、（ｂ）は保持部９２が第２位置にある状態を示す。
【００６７】
保持部９２は、押え部９１に形成された凹部９１１に収納可能であって、回動軸９２１回りに回動することによって、凹部９１１に対して出入り可能に構成されている。
【００６８】
なお、保持部９２は、第２位置においては、不図示のロック機構により、凹部９１１から不意に出ないよう、位置固定される。
【００６９】
このように、第４実施形態によれば、保持部９２を回動させることによって、押え部９１から取り外すことなく第１位置と第２位置との間で連続的に移動させることができる。よって、第１実施形態同様の効果を得ることができる。
【００７０】
以上説明したとおり、第１〜第４実施形態によれば、保持部６２，７２，８２，９２を第１位置と第２位置との間で変位可能にすることにより、ロール紙Ｘの巻き中心を保持する方式と投げ込み式とのいずれの方式でも印字可能な、ラベル／レシート兼用のプリンタ１を提供することができる。
【００７１】
なお、上記実施形態においては、保持部（６２，７２，８２，９２）や押え部（６１，７１，８１，９１）の紛失を防ぐために、保持部や押え部を取り外さずに保持部を第１位置と第２位置との間で移動可能としている。しかしながら、実施にあたっては上記構成（取り外し不可）に限らず、少なくとも、保持部が第１位置と第２位置との間で変位可能に構成された兼用プリンタであればよい。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７３】
１…プリンタ
６…用紙収納部
６１…押え部
６１１…孔
６２…保持部
６５…支持構造
６５１…回転軸
【先行技術文献】
【特許文献】
【００７４】
【特許文献１】米国特許第５，８１３，３４３号明細書
【図１】
0006647840.tif 000002
【図２】
0006647840.tif 000003
【図３】
0006647840.tif 000004
【図４】
0006647840.tif 000005
【図５】
0006647840.tif 000006
【図６】
0006647840.tif 000007
【図７】
0006647840.tif 000008
【図８】
0006647840.tif 000009
【図９】
0006647840.tif 000010
【図１０】
0006647840.tif 000011
【図１１】
0006647840.tif 000012
【図１２】
0006647840.tif 000013
【図１３】
0006647840.tif 000014
【図１４】
0006647840.tif 000015